(57)【要約】      （修正有）【課題】引戸扉を人手で勢いよく閉鎖作動した場合でも戸先側竪枠から発生する騒音を低減させることのできる引戸装置を提供する。【解決手段】出入り口に配置される引戸枠部材２と、引戸扉６からなる引戸装置１において、戸先側竪枠３と戸袋側竪枠４、及び上枠８からなる引戸枠部材２の断面がチャンネル形状の該戸先側竪枠３内に、エンボスシートからなる吸震材１３を介して戸先側辺板３ａを支持する支持部材１１を配設する。【選択図】図１
2005256457.tif 000002
【特許請求の範囲】
【請求項１】
出入り口に配置される引戸枠部材と、引戸扉からなる引戸装置において、引戸枠部材の戸先側竪枠内に、戸先側竪枠の戸先側辺板を支持する支持部材が配設されていることを特徴とする引戸装置。
【請求項２】
戸先側辺板は吸振材を介して支持部材で支持されていることを特徴とする請求項１記載の引戸装置。
【請求項３】
出入り口に配置される引戸枠部材と引戸扉からなる引戸装置において、引戸枠部材の戸先側竪枠を構成する戸先側辺板が制振板構造とされていることを特徴とする引戸装置。
【請求項４】
戸先側辺板に吸振板が貼着されていることを特徴とする請求項３記載の引戸装置。
【発明の詳細な説明】
【技術分野】
【０００１】
本発明は、引戸装置に関し、特に引戸の閉鎖時に発生する騒音を低減する引戸装置に関するものである。
【背景技術】
【０００２】
従来の引戸装置では、戸当たりとなる戸先側竪枠あるいは引戸扉の戸先にクッションゴム等を取り付けて閉鎖時の騒音対策としていた（例えば、特許文献１参照）。
【０００３】
ところで、この従来の引戸装置５０は、図６に示すように、引戸枠部材５１と、該枠部材５１の一側に形成された戸袋５２内に収納される引戸扉５３とより構成される。引戸扉５３は、対をなす前後の吊り車を走行用レールに載置している。
通常は、走行用レールは閉じ側に向けて下り傾斜せしめて取り付けられ、引戸扉５３がその自重によって、又は、適宜手段によって、常時は、引戸扉５３を閉じ方向に付勢するように構成している。
【０００４】
引戸枠部材５１は引戸扉５３の戸先が当接する戸先側竪枠５５と戸袋側竪枠５６、及び上枠５７からなる。
戸先側竪枠５５は断面がチャンネル形状とされ、その戸先側辺板５５ａには引戸扉５３の戸先に配備したクッションゴム５４が嵌合し当接するＶ溝５５ｂが上下方向全長に亘って形成され、戸先側辺板５５ａに対面する部分開放辺板５５ｃには建屋側部材５９と連結するアンカー板５８が溶接等の固定手段で固定されて縦方向に所定間隔をあけて数カ所配備している。
５８ａはアンカー板５８から突設された舌片で、建屋側部材５９の突起５９ａに溶接で連結されている。
戸袋側竪枠５６は、対となる竪枠５６ａ、５６ｂによって引戸扉５３を戸袋５２に案内する開口５６ｃを形成する。また、図示していないがエアダンパも装備されて閉鎖時の荒閉まりを防ぐ構造にしている。
【０００５】
上記構成において、引戸扉５３を閉鎖するとき、引戸扉５３の戸先に配備したクッションゴム５４が戸先側辺板５５ａのＶ溝５５ｂに嵌入し当接するので、ゴムの弾力性によってその衝撃を緩和し、発生する騒音を低減する。また、光漏れの隙間を生じることなく引戸扉５３が閉鎖される。
【０００６】
しかし、この引戸装置５０では、引戸扉５３を人手で勢い強く閉じ作動させた場合、引戸扉５３が戸先側竪枠５５に衝突し、戸先側竪枠５５の戸先側辺板５５ａが大きな衝突音（騒音）を発生するという問題があった。
【特許文献１】実公平７−３８６１４号公報
【発明の開示】
【発明が解決しようとする課題】
【０００７】
本発明は、上記従来の引戸装置の有する問題点に鑑み、引戸扉を人手で勢いよく閉鎖作動した場合でも戸先側竪枠から発生する騒音を低減させることのできる引戸装置を提供することを目的とする。
【課題を解決するための手段】
【０００８】
上記目的を達成するため、本発明の引戸装置は、出入り口に配置される引戸枠部材と、引戸扉からなる引戸装置において、引戸枠部材の戸先側竪枠内に、戸先側竪枠の戸先側辺板を支持する支持部材が配設されていることを特徴とする。
【０００９】
この場合において、戸先側辺板は吸振材を介して支持部材で支持することができる。
【００１０】
また、第２の発明は出入り口に配置される引戸枠部材と引戸扉からなる引戸装置において、引戸枠部材の戸先側竪枠を構成する戸先側辺板が制振板構造とされていることを特徴とする。
【００１１】
この場合において、戸先側辺板に吸振板を貼着することができる。
【発明の効果】
【００１２】
本発明の引戸装置によれば、引戸枠部材の戸先側竪枠内に、戸先側辺板を支持する支持部材が配設されるので、戸先側竪枠が縦方向に分割され全体で鼓状に響くことがない。  また、戸先に配備したクッションゴムだけでなく、前記支持部材が建家側部材に接合するアンカーに固定され、また、支持部材と戸先側竪枠の戸先側辺板との間に吸振材を挟み込むように構成するから戸先の衝撃による騒音はさらに低減される。
【００１３】
また、第２の発明によれば、戸先側辺板を制振板構造とすることによって引戸扉の急激な閉鎖によっても大きな騒音が発生することはない。
【００１４】
この際、戸先側辺板に吸振板が貼着するときは、戸先の衝撃による騒音はさらに低減される。
【発明を実施するための最良の形態】
【００１５】
以下、本発明の引戸装置の実施の形態を、図面に基づいて説明する。
【実施例１】
【００１６】
図１〜図３に、本発明の引戸装置の第１実施例を示す。
【００１７】
この、引戸装置１は、従来例と同様、引戸枠部材２と、該枠部材２の一側に形成された戸袋５内に収納される引戸扉６とより構成される。
引戸扉６は、対をなす前後の吊り車を引戸扉６の上部に備え、走行用レールに載置する構成の他、対をなす前後の戸車を引戸扉６の下部に備え、床面に敷設したレール上に載置する構成であってもかまわない。
【００１８】
また、引戸扉６は上吊り式の場合は、走行用レールは閉じ側に向けて下り傾斜せしめて引戸枠部材２に取り付け、引戸扉６がその自重によって、又は適宜手段によって、さらにレール載置式の場合は適宜手段によって、常時は引戸扉６を閉じ方向に付勢するように構成することが好ましい。
【００１９】
引戸枠部材２は、従来例と同様引戸扉６の戸先が当接する戸先側竪枠３と戸袋側竪枠４、及び上枠８からなる。戸先側竪枠３は断面がチャンネル形状とされ、その戸先側辺板３ａには引戸扉６の戸先に配備したクッションゴム７が嵌合し当接するＶ溝３ｂが上下方向全長に亘って形成され、戸先側辺板３ａに対面する部分開放辺板３ｃには建屋側部材２０と連結するアンカー板１０がタッピングネジで固定され、縦方向に所定間隔あけて数カ所配備している。
１２ａはアンカー板１０から突設された舌片で、建屋側部材２０の突起２０ａに溶接で連結されている。
戸袋側竪枠４は、対となる竪枠４ａ、４ｂによって引戸扉６を戸袋５に案内する開口４ｃを形成する。
【００２０】
１１は支持部材で、方形の平板を折曲させて戸先側竪枠３の断面形状と相似形に形成され、戸先側竪枠３内において部分開放辺板３ｃ及びアンカー板１０とネジＴで固定されている。
図示例では、アンカー板１０を挟むように両側に部分開放辺板３ｃ及び支持部材１１が配置され、これら３者が共通のタッピングネジＴで固定されている。
なお、支持部材１１はアンカー板１０から離れた位置に、部分開放辺板３ｃとネジ固定するものでもよい。
支持部材１１の戸先側辺板１１ａと戸先側竪枠３の戸先側辺板３ａとの間には吸振材１３が挟み込まれている。
吸振材１３としては例えばエンボスシートが使用できる。
また、支持部材１１による戸先側辺板３ａの支持状態は、常時接当して支持するものでもよい他、支持部材１１と戸先側辺板３ａとの間に少し隙間があけられており、引戸扉の戸先側竪枠への衝突により戸先側辺板３ａが屈曲したときに接当支持するものでもよい。
【００２１】
図１〜図３に示す第１実施例では、支持部材１１と吸振材１３の幅を略々同一の幅とし、アンカー板１０の位置に合わせて配備する例を示すものである。
【００２２】
上記構成において、引戸扉６が勢いよく閉鎖され戸先側竪枠３に衝突した場合、戸先側竪枠３の戸先側辺板３ａがその裏面において支持部材１１及び吸振材１３で縦方向に所定間隔あけて分割支持されることとなり、戸先側辺板３ａが全面で鼓膜状に振動することなく衝突音は小さなものになるとともに、吸振材１３によってさらに振動、騒音が低減される。
【実施例２】
【００２３】
図４に、本発明の引戸装置の第２実施例を示す。
この引戸装置１は、戸先側辺板３ａが制振板構造となるように吸振材１３を戸先側竪枠３の戸先側辺板３ａの裏面に、長手方向全体に貼着した例を示し、引戸扉６からの振動をより効率よく吸収するものである。
【実施例３】
【００２４】
図５に、本発明の引戸装置の第３実施例を示す。
この引戸装置は、吸振材１３及び支持部材１１を戸先側竪枠３の長手方向全体に配備したものである。また、アンカー板１０と支持部材１１、戸先側竪枠３の部分開放辺板３ｃを共通のタッピングネジＴで固定する例とともに、アンカー板１０から反れた位置で支持部材１１と戸先側竪枠３の部分開放辺板３ｃとをネジＴ’で固定する例を示している。
【００２５】
これにより吸振材１３を戸先側竪枠３内の戸先側辺板３ａの裏面に十分当接することができ、戸先側辺板３ａの振動をさらに効率よく制止することができるものである。
【００２６】
以上、本発明の引戸装置について、実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２７】
以上、本発明の引戸装置は、構成が簡単であるという特性を有していることから、新設建造物に用いることができる。
【図面の簡単な説明】
【００２８】
【図１】本発明の引戸装置の実施例を示す一部断面の平面図である。
【図２】図１のＸ−Ｘ矢視図である。
【図３】本発明の引戸装置の戸先側竪枠をアンカー板側から見た斜視図である。
【図４】本発明の引戸装置の戸先側竪枠の別の実施例を示す図で、アンカー板側から見た斜視図である。
【図５】本発明の引戸装置の戸先側竪枠の別の実施例を示す図で、アンカー板側から見た斜視図である。
【図６】従来の引戸装置の実施例を示す一部断面の平面図である。
【符号の説明】
【００２９】
１    引戸装置
２    引戸枠部材
３    戸先側竪枠
３ａ  戸先側辺板
５    戸袋
６    引戸扉
１０  アンカー板
１１  支持部材
１３  吸振材
【図１】
2005256457.tif 000003
【図２】
2005256457.tif 000004
【図３】
2005256457.tif 000005
【図４】
2005256457.tif 000006
【図５】
2005256457.tif 000007
【図６】
2005256457.tif 000008